(57)【要約】【課題】  配信する提供情報の種類が複数にわたりしかも提供情報の時間経過による価値変化が多様であるという地域情報サービス無線通信システムにおいて、受信された提供情報の内から使用者が必要とする種類の情報を迅速に出力する。【解決手段】  センタ局３は配信する提供情報にその種別情報を付加して無線送信し、戸別受信機５では、受信した提供情報と種別情報とを対応付けてメモリ５２に保持し、選択スイッチ５３により受信側操作者から出力する提供情報の種別情報を受け付けると、種別判定読出し部５４が指定種別情報に該当する提供情報をメモリ５２から読み出して、情報再生部５５が当該提供情報をスピーカ５６やディスプレイ５７に再生出力する。【選択図】  図２
2005167643.tif 000002
【特許請求の範囲】
【請求項１】
センタ局から無線配信された提供情報を、情報提供サービスエリアに存する複数の戸別受信機で受信して出力する地域情報サービス無線通信システムにおいて、
センタ局は、配信側操作者から提供情報の種別情報を受け付ける種別入力部と、入力された種別情報を提供情報に付加した送信フレームを生成するフレーム生成部と、送信フレームを無線送信する無線送信部とを備え、
戸別受信機は、受信した送信フレームの提供情報と種別情報とを対応付けて保持する記憶部と、受信側操作者から出力する提供情報の種別情報を受け付ける種別指定操作部と、入力された指定種別情報に該当する提供情報を記憶手段から読み出して再生出力する種別判定再生部と、を備えていることを特徴とする地域情報サービス無線通信システム。
【発明の詳細な説明】
【技術分野】
【０００１】
本発明は、市町村等といった地域において防災情報、行政情報、福祉情報、気象情報等といった種々な提供情報を地域居住者に無線通信により報知する地域情報サービス無線通信システムに関し、特に、受信側において所望の種類の提供情報を迅速に得ることができる技術に関する。
【背景技術】
【０００２】
地域居住者へ役場等に設置されたセンタ局から種々な提供情報を無線配信する地域情報サービス無線通信システムは、例えば、市町村デジタル同報通信システムとして実施されている（非特許文献１参照。）。
図５には、本発明の適用対象ともなる市町村デジタル同報通信システムの一例について、その全体概要を示してある。
【０００３】
市町村同報通信システムは、係員等の操作者が操作する操作卓１と提供情報を無線送信する親局無線装置２とを備えたセンタ局３を役場等の情報配信センタに設置し、また、拡声器等の出力機能を有した多数の屋外受信機４を地域の情報提供サービスエリア７内の屋外に設置し、また、スピーカや表示ディスプレイ等の出力機能を有した多数の戸別受信機５を地域の情報提供サービスエリア７内の公共施設や住宅等の屋内に設置した構成となっている。
なお、センタ局３と屋外受信機４や戸別受信機５との間には必要に応じて中継局６が設置され、センタ局３から無線送信された情報は直接又は中継局６を会して屋外受信機４や戸別受信機５で受信される。
【０００４】
このような市町村同報通信システムでは、例えば、操作者が操作卓１を操作して、音声形式又は文字形式の提供情報を親局無線機２から無線送信し、屋外受信機４や戸別受信機５が当該提供情報を無線受信して、文字情報はディスプレイに表示出力し、音声情報はスピーカから音声出力することができる。
ここで、受信機側においてはセンタ局３から無線配信された提供情報を受信する都度出力する他、地域居住者（受信機側の操作者）が必要な時に出力させるようにすることが求められている。特に戸別受信機５においては、その居住者が留守中に配信された提供情報を受信して記憶手段に保持しておき、この後、操作者が任意の時に記憶保持された提供情報を出力させて情報を取得する利用態様が要求されている。
【０００５】
なお、ページャや携帯電話機等の移動体通信機において、特定の種別のメッセージを受信したときに当該メッセージを表示出力するようにした発明が提案されている（特許文献１参照。）。
【特許文献１】特開２００１―４５５３０号公報
【非特許文献１】「市町村デジタル同報通信システム  推奨規格（案）」財団法人電波産業会  平成１５年３月
【発明の開示】
【発明が解決しようとする課題】
【０００６】
上記のように地域情報サービス無線通信システムでは、特にその戸別受信機において、配信された提供情報を使用者の任意の時に出力できるようにすることが望まれるが、提供情報は防災情報、行政情報、福祉情報、気象情報等といったように種類が多岐にわたることから記憶手段に記憶保持された多数の提供情報の内から使用者が必要とする情報を出力させることが困難であるという課題がある。すなわち、長い時間が経過すると、気象情報、行政情報、福祉情報、気象情報等といった種々な種類の提供情報が混在して記憶手段に保持されるため、これらの提供情報を順次出力させていたのでは、使用者が必要とする情報を得るには時間と手間がかかってしまうという課題があった
また、気象情報や防災情報等は或る程度の時間が経過してしまうと情報自体の価値が無くなる種類の情報である一方、行政情報や福祉情報等はあまり経過時間に左右されない価値を持った種類の情報である。したがって、配信された提供情報を一旦記憶保持しておいて後に出力させようとする場合には、使用者個人の必要性ばかりではなく、経過時間と情報の種類とに応じて出力の必要性も変化する。
【０００７】
本発明は、配信する提供情報の種類が複数にわたり、しかも、これら提供情報の時間経過による価値変化が多様であるという地域情報サービス無線通信システムの特殊性に鑑み、記憶保持された提供情報の内から使用者が必要とする種類の情報を迅速に出力して、使用者にとって価値のある情報を迅速に提供することを目的とする。
【課題を解決するための手段】
【０００８】
本発明は、センタ局から無線配信された提供情報を、情報提供サービスエリアに存する複数の戸別受信機で受信して出力する地域情報サービス無線通信システムであって、センタ局は、配信側操作者から提供情報の種別情報を受け付ける種別入力部と、入力された種別情報を提供情報に付加した送信フレームを生成するフレーム生成部と、送信フレームを無線送信する無線送信部とを備え、戸別受信機は、受信した送信フレームの提供情報と種別情報とを対応付けて保持する記憶部と、受信側操作者から出力する提供情報の種別情報を受け付ける種別指定操作部と、入力された指定種別情報に該当する提供情報を記憶手段から読み出して再生出力する種別判定再生部と、を備えている。
【０００９】
したがって、戸別受信機にはセンタ局から配信された提供情報がその種別を識別して記憶保持され、使用者（受信側操作者）が種別指定を入力することにより、指定された種別の提供情報が記憶部から読み出されて再生出力される。
【発明の効果】
【００１０】
本発明によると、記憶保持された配信提供情報の内から、再生出力する提供情報の種別を受信側操作者が指定することができるようにしたため、受信側操作者は記憶保持されている多数の提供情報の内から必要な情報を迅速に出力させて、価値のある情報を容易に取得することができる。
【発明を実施するための最良の形態】
【００１１】
本発明を一実施形態に基づいて具体的に説明する。
なお、本実施形態は図５に示した市町村デジタル同報通信システムに本発明を適用したものであり、以下の説明において同図を適宜参照する。
図１には本実施形態に係る戸別受信機５の外観を示し、図２には本実施形態に係るセンタ局３と戸別受信機５との機能構成を示してある。
【００１２】
センタ局３の操作卓１には、配信側操作者から提供情報を受け付ける情報入力部１１、配信側操作者から提供情報の種別情報を受け付ける種別入力部１２、受け付けた提供情報にその種別情報を付加した送信フレームを生成するフレーム生成部１３、生成された送信フレームを親局無線機２を制御して無線送信する通信部１４を備えている。
ここで、情報入力部１１は文字情報を入力するためのキーボードや音声情報を入力するためのマイクロフォンからなっており、文字情報や音声情報の提供情報を受け付ける。また、種別入力部１２は種別情報を文字情報で入力するためのキーボード、或いは、予め種別毎に用意された操作ボタンであり、情報入力部１１で受け付けた提供情報の種別情報を受け付ける。また、フレーム生成部１３は、図３に示すように、提供情報８にその種別情報９を付加した送信フレームを生成する。
【００１３】
戸別受信機５は、センタ局３の親局無線機２から無線送信された提供情報の送信フレームを受信処理する受信部５１、受信した送信フレームを記憶保持する記憶部（メモリ）５２、受信側操作者から再生出力する提供情報の種別情報を受け付ける種別指定操作部（選択スイッチ）５３、入力された指定種別情報に該当する提供情報をメモリ５２から読み出す種別判定読出し部５４、読み出された提供情報を戸別受信機５に備えられたスピーカ５６やディスプレイ画面５７に再生出力する情報再生部５５を備えている。
【００１４】
本実施形態では、図４に示すように、メモリ５２は提供情報と種別情報とを含む受信フレームを多数記憶保持し、したがって、メモリ５２には受信した多数の提供情報が種別情報とを対応付けて蓄積保持される。
種別指定操作部５３は、図１に示すように、防災情報ボタン５３ａ、行政情報ボタン５３ｂ、福祉情報ボタン５３ｃ、気象情報ボタン５３ｄといった提供情報の種別毎に設けられた複数の操作ボタンであり、受信側操作者がいずれかのボタン５３を押すことにより再生出力する提供情報の種別情報を入力することができる。
【００１５】
種別判定読出し部５４は、メモリ１２に記憶保持されている提供情報８を読出す際に、各提供情報の種別情報９を受信側操作者から入力指定された種別情報により検索して、両種別情報が一致する提供情報８をメモリ１２から読み出して情報再生部５５に入力する。
すなわち、読み出された提供情報が音声情報であれば当該情報音声が再生されてスピーカ５６から出力され、提供情報が文字情報であれば当該情報文字が再生されてディスプレイ画面５７に表示出力される。なお、図１には、気象情報ボタン５３ｄが操作者により選択されて、文字情報の気象情報がメモリ５２から読み出されてディスプレイ画面５７に表示出力されている状態を示している。
【００１６】
上記の市町村デジタル同報通信システムによると、配信側操作者は、操作卓１を操作して、情報入力部１１から提供情報を入力するとともに、種別入力部１２から当該提供情報の種別情報（防災情報、行政情報、福祉情報、気象情報等の種別）を入力して配信処理を行う。これにより、フレーム生成部１３が入力された提供情報と種別情報とを含む送信フレームを生成し、通信部１４が当該送信フレームを親局無線機２から無線送信する。
この無線送信された送信フレームは情報提供サービスエリア７内に存する屋外受信機４及び戸別受信機５より受信されて出力されるが、戸別受信機５では受信部５１で受信するフレームをメモリ５２に順次記憶保持する。そして、受信側操作者が任意の時に提供情報の出力操作を行うに際して、選択スイッチ５３により所望の種別を入力すると、種別判定読出し部５４が当該入力指定された種別情報に該当する提供情報をメモリ５２から読み出し、読み出された提供情報を情報再生部５５がスピーカ５６やディスプレイ画面５７に再生出力する。
【００１７】
したがって、配信側操作者（使用者）は所望の種別に該当する選択スイッチ５３を操作するだけで、メモリ５２に記憶保持されている提供情報の内から当該種別の提供情報だけを選択して出力させることができ、所望の情報を迅速に得ることができる。また、配信時からかなりの時間が経過したときに出力処理する場合、メモリ５２に記憶保持されている提供情報の内で例えば気象情報のように即時性に価値がある種類に情報については、これを出力する操作や視聴する無駄時間を省くことができる。
【図面の簡単な説明】
【００１８】
【図１】本発明の一実施形態に係る戸別受信機の外観構成図である。
【図２】本発明の一実施形態に係るセンタ局と戸別受信機との機能構成図である。
【図３】本発明の一実施形態に係る送信フレームを説明する図である。
【図４】本発明の一実施形態に係る受信した提供情報の記憶保持を説明する図である。
【図５】市町村デジタル同報通信システムの一例を示す図である。
【符号の説明】
【００１９】
１：操作卓、  ２：親局無線機、
３：センタ局、  ４：屋外受信機、
５：戸別受信機、  ７：サービスエリア、
８：提供情報、  ９：種別情報、
１１：情報入力部、  １２：種別入力部、
１３：フレーム生成部、  １４：通信部、
５１：受信部、  ５２：メモリ、
５３：選択スイッチ、  ５３ａ〜５３ｄ：選択ボタン、
５４：種別判定読出し部、  ５５：情報再生部、
５６：スピーカ、  ５７：ディスプレイ、
【図１】
2005167643.tif 000003
【図２】
2005167643.tif 000004
【図３】
2005167643.tif 000005
【図４】
2005167643.tif 000006
【図５】
2005167643.tif 000007